(57)【特許請求の範囲】
【請求項１】
電極端子を除いた電池本体の少なくとも１面に、加熱により不可逆的に変色する温度検知層が設けられ、
上記電池本体には、電池外表面を構成する物質よりも熱伝導率の高い物質からなる導熱線が、上記温度検知層と接触するように設けられ、
上記導熱線は、局所的に発生した温度上昇部分の熱を、温度上昇部分以外の他の領域へと伝達することを特徴とする二次電池。
【請求項２】
上記温度検知層は、上記電池本体の周面に設けられていることを特徴とする請求項１に記載の二次電池。
【請求項３】
上記温度検知層は、上記電池本体の全ての面に設けられていることを特徴とする請求項１に記載の二次電池。
【請求項４】
上記導熱線は、線幅に対して厚みが薄いリボン状であることを特徴とする請求項１から３の何れか１項に記載の二次電池。
【請求項５】
リチウムイオン電池であることを特徴とする請求項１から４の何れか１項に記載の二次電池。
【請求項６】
二次電池を固定する固定治具を備え、該固定治具が透明部材よりなることを特徴とする請求項１から５の何れか１項に記載の二次電池。
【請求項７】
上記請求項１から５の何れか１項に記載の二次電池が複数個、並列、あるいは直列、あるいは並列及び直列の両方で接続されてなることを特徴とする組電池。
【請求項８】
複数個の二次電池を固定する固定治具を備え、該固定治具が透明部材よりなることを特徴とする請求項７に記載の組電池。
【発明の詳細な説明】
【技術分野】
【０００１】
本発明は、使用中の熱履歴を容易に判別することのできる二次電池、複数の二次電池を組み合わせた組電池に関する。
【背景技術】
【０００２】
リチウムイオン電池やニッケル水素電池等の二次電池は、放電状態の電池を充電することにより繰り返し使用のできる電池であり、ノート型パソコンをはじめとするモバイル機器、ビデオカメラ等の電源として広く用いられている。また、近年では、電気自動車やハイブリッドカー等に搭載される大型の二次電池も登場している。このような二次電池は、機器に必要な電圧、パワーを取り出すために、複数個が直列または並列に組み合わせて組電池として使用される場合が多い。
【０００３】
ところで、二次電池は、電池固有の所定電圧の範囲内で充放電を行うものであるが、充放電を繰り返すうちに、電池自身のトラブルといった内的要因や、充放電制御回路のトラブル等の外的要因により、電池の温度が、性能低下を引き起こす温度（異常温度）にまで上昇することがある。一旦、異常温度にまで上昇した二次電池は、その後、電池温度がたとえ問題のない温度にまで低下しても電池の性能が元の状態にまで回復することは難しい。そのため、性能に低下した異常な電池は、正常な二次電池との交換が必要となる。
【０００４】
このような異常温度にまで上昇し電池の判別を可能とする技術として、電池が異常な温度に到達したことを電池自身に熱履歴として残す技術がある。例えば、特許文献１には、乾電池や蓄電池（二次電池）における電池外部から目視可能な位置に、加熱により不可逆的に変色する３ミリ四方のサーモラベル（検知子）を設ける構成が開示されている。また、引用文献２には、複数の単セルが直列に接続されてなる充電式電池の一部に、一定温度以上で変色する不可逆なサーモテープを配置する構成が開示されている。
【０００５】
上記技術によれば、電池が異常な温度に到達すると、サーモラベルやサーモテープが変色し、正常な温度にまで戻った後も変色が保持されるので、変色の有無を確認することで、異常な電池であるかどうかを判別することができる。
【先行技術文献】
【特許文献】
【０００６】
【特許文献１】特開昭６３−６６８６５号公報（１９８８年０３月２５日公開）
【特許文献２】実開昭６０−１１２０７４号公報（１９８５年０７月２９日公開）
【発明の概要】
【発明が解決しようとする課題】
【０００７】
しかしながら、上述のような従来技術では、電池の一部分のみが異常温度にまで上昇するといった局所的な温度上昇が発生した電池については、異常な電池であるとは判別できないといった問題がある。
【０００８】
つまり、上述のような従来技術では、電池の外表面のある面の一部にのみサーモラベルやサーモテープ（以下、まとめてサーモラベル）を配置する構成であるため、電池全体が、サーモラベルが変色する異常温度にまで上昇した場合は、異常な電池であることを判別できる。しかしながら、電池の一部分のみが異常温度にまで上昇した場合は、上昇部分がサーモラベルの配置位置である場合を除いて、サーモラベルは変色しないため、異常を検知できない。
【０００９】
上述したように、近年は、電気自動車やハイブリッドカー等に大型の二次電池が搭載されており、二次電池の大型化が進んでいる。このような大型の二次電池においては、電池全体ではなく、その一部分のみが局所的に温度上昇することが十分に起こり得る。
【００１０】
そして、たとえ局所的な温度上昇であっても、そのような異常がある二次電池は性能低下が促進するだけでなく、そのまま使い続けた場合には、電池全体が異常温度にまで上昇して、二次電池の充放電回路に深刻なトラブルを招来させる危険がある。また、組電池の場合は、異常電池が発端となり、組電池全体の性能低下が促進するだけでなく、熱暴走が発生して、組電池を構成する他の正常な二次電池にまで被害を広げる危険もある。そのため、たとえ局所的な温度上昇であっても、異常な電池であると判別して、深刻なトラブルの招来を回避することが必要である。
【００１１】
また、大型の二次電池だけでなく、ノート型パソコンをはじめとするモバイル機器等に搭載されている小型の二次電池も同様であり、局所的な温度上昇による異常であっても、異常な電池であると判別して、深刻なトラブルの招来を回避する必要がある。
【００１２】
本発明は、上記課題に鑑みなされたもので、電池全体ではなく部分的に性能低下が促進される異常温度に上昇した場合でもこれを検出できる構成の二次電池および組電池を提供することを目的としている。
【課題を解決するための手段】
【００１３】
上記の課題を解決するために、本発明に係る二次電池は、電極端子を除いた電池本体の少なくとも１面に、面全体に亘って、加熱により不可逆的に変色する温度検知層が設けられていることを特徴としている。
【００１４】
上記構成によれば、電極端子を除いた電池本体の少なくとも１面に、面全体に亘って設けられた、加熱により不可逆的に変色する温度検知層により、電池全体が異常な温度にまで上昇した異常だけでなく、電池の一部分のみが局所的に異常な温度にまで上昇した異常でも、これを検出することができる。
【００１５】
この場合、より好ましくは、温度検知層が、電池本体の周面に、面全体に亘って設けられている構成であり、さらに好ましくは、温度検知層が、電池本体の全ての面に、面全体に亘って設けられている構成である。このような構成とすることで、電池本体の如何なる部分が異常な温度に上昇したとしても、確実にこれを検出できる。
【００１６】
但し、二次電池の電池ケースは熱伝導性に優れた金属で構成されることが多く、その場合、熱は電池外表面において伝わりやすい。したがって、電池本体の１面にのみ温度検知層が設けられている構成であっても、温度検知層が、その面の一部分ではなく面全体に亘って設けられていることで、温度検知層が設けられた面とは異なる面で発生した温度異常についても、温度上昇部分が近ければ検出することは可能である。
【００１７】
また、電池内部、或いは電池外部において、異常な温度上昇を起こしやすい箇所が予めわかっている場合には、少なくともその箇所が入る面に温度検知層を設けておくことで、温度検知層が全面に設けられていなくても、局所的な温度上昇を検出することができる。
【００１８】
ここで、温度検知層が面全体に亘って設けられているとは、温度検知層が面全域を隙間なく完全に覆っている形態だけでなく、温度検知層がストライプや、網目、ドット等のパターンにて、隙間を有しながらも面全体を覆っている形態や、温度検知層に部分的に切り掻かれている部位はあるものの、温度検知層が面全体を覆っている形態を含むことを意味している。
【００１９】
しかも、特別な検査装置を用いたり、二次電池を注意深く観察したりする必要もなく、温度検知層を簡単に目視するだけで検出することができる。
【００２０】
加えて、温度検知層の変色箇所より、トラブルの発生した位置を特定することができるので、トラブルの原因を解明する手助けとなる。つまり、電池内部のトラブルであれば、電池内部のどの部分に異常が発生したのかを推測することができる。電池外部のトラブルであれば、二次電池の外部にある充放電回路等のどの部分に異常が発生したのかを推測することもできる。電池外部のトラブルの発生を、現象が小さいうちに発見して対処できることで、より深刻なトラブルの発生を未然に防止することができる。
【００２１】
また、本発明に係る二次電池においては、さらに、電池本体に、電池外表面を構成する物質よりも熱伝導率の高い物質からなる導熱線が、上記温度検知層と接触するように設けられ、上記導熱線は、局所的に発生した温度上昇部分の熱を、温度上昇部分以外の他の領域へと伝達する構成とすることもできる。
【００２２】
金属等の熱伝導性に優れた電池ケースであれば、温度検知層が設けられた面以外で発生した異常な熱を温度検知層が設けられた面に伝達することは可能であると考えられる。しかしながら、電池ケースの熱伝導率が低い場合や、金属製の電池ケースであっても電池サイズが大型化して温度検知層が設けられている面が温度上昇部分から遠い場合、温度検知層にまでその熱が伝わらない場合も想定される。
【００２３】
また、二次電池を固定するための固定治具に取り付けられた状態の二次電池においては、固定治具にて隠れている部分に温度上昇が発生した場合、目視可能な位置に設けられた温度検知層にこの熱が伝わることで、これを検出できる。しかしながら、この熱が伝わらなかった場合は、固定治具より二次電池を取り外さないかぎり、この異常を検出することができない。二次電池が組電池を構成して、隣り合う電池同士で外表面を隠し合う場合も同様である。
【００２４】
これに対し、上記構成によれば、導熱線が設けられているので、固定治具や隣の電池によって隠されている部分に温度上昇が生じたとしても、その熱が導熱線を伝って効率よく温度検知層に伝えられる。これにより、目視可能な位置に温度検知層が設けられてさえいれば、二次電池を取り外すことなく、簡単に目視できない部分の異常を検出することができる。
【００２５】
また、この場合、上記導熱線は、線幅に対して厚みが薄いリボン状であることが好ましい。
【００２６】
導熱線を、線幅に対して厚みが薄いリボン状とすることで、組電池を構成する場合に、電池同士が接触してあるいは近接して配されることを妨げることなく、導熱線からの熱による温度検知層の変色を視認し易くできる。
【００２７】
このような二次電池としては、リチウムイオン電池との組み合わせが好適である。
【００２８】
リチウムイオン電池は、内部に充填された電解液が熱せられることで副反応が起こりやすく、熱による電池の性能低下等の影響が他の二次電池に比べて大きい。そのため、リチウムイオン電池と組み合わせることで、その安全性を効果的に高めることができる。
【００２９】
また、二次電池を固定する固定治具は、透明部材よりなる構成が好ましく、固定治具を透明な構成とすることで、温度検知層による異常検知を、より効果的に利用することができる。
【００３０】
本発明は、また、上記本発明の二次電池が、複数個、並列、あるいは直列、あるいはその両方で接続されてなる組電池もその権利範囲としている。
【００３１】
特に、この場合、複数個の二次電池を固定する固定治具は、透明部材よりなる構成が好ましく、固定治具を透明な構成とすることで、温度検知層による異常検知を、より効果的に利用することができる。
【発明の効果】
【００３２】
本発明の二次電池は、電極端子を除いた電池本体の少なくとも１面に、面全体に亘って、加熱により不可逆的に変色する温度検知層が設けられているので、電池全体が異常な温度にまで上昇した異常だけでなく、電池の一部分のみが局所的に異常な温度にまで上昇した異常でも、これを検出することができるという効果を奏する。
【図面の簡単な説明】
【００３３】
【図１】本発明の第１の実施形態に係る、温度検知層が設けられた角型の二次電池の概観を示す斜視図である。
【図２】比較のために示す従来の角型の二次電池の概観を示す斜視図である。
【図３】（ａ）〜（ｆ）共に、本実施形態の上記角型の二次電池の変形例を示す斜視図である。
【図４】本実施形態の上記角型の二次電池の電池内部のトラブル、あるいは電池外部のトラブルによって、電池本体の外表面の温度が上昇し、温度検知層が不可逆的に変色した状態を示す説明図である。
【図５】本発明の第１の実施形態に係る、円筒型の二次電池の概観を示す斜視図である。
【図６】本実施形態の上記円筒型の二次電池の電池内部のトラブル、あるいは電池外部のトラブルによって、電池本体の外表面の温度が上昇し、温度検知層が不可逆的に変色した状態を示す説明図である。
【図７】（ａ）は、本発明の第２の実施形態に係る、温度検知層に加えて導熱線が設けられた角型の二次電池の概観を示す斜視図であり、（ｂ）は、導熱線のみを抜き出して示す説明図である。
【図８】第２の実施形態の角型の二次電池において、電池内部のトラブル、あるいは電池外部のトラブルによって、固定治具に隠れた部分において電池本体の外表面の温度が上昇し、その熱が導熱線に伝わって、温度検知層が導熱線に沿って不可逆的に変色した状態を示す説明図である。
【図９】第２の実施形態の角型の二次電池の変形例を示す斜視図である。
【図１０】（ａ）は、本発明の第２の実施形態に係る、温度検知層に加えて導熱線が設けられた円筒型の二次電池の概観を示す斜視図であり、（ｂ）は、導熱線のみを抜き出して示す説明図である。
【図１１】第２の実施形態の円筒型の二次電池において、電池内部のトラブル、あるいは電池外部のトラブルによって、固定治具に隠れた部分において電池本体の外表面の温度が上昇し、その熱が導熱線に伝わって、温度検知層が導熱線に沿って不可逆的に変色した状態を示す説明図である。
【図１２】第２の実施形態の円筒型の二次電池の変形例を示す斜視図である。
【図１３】第１の実施形態の角型の二次電池を用いた組電池の電池の配置例を示す説明図である。
【図１４】図１３に示すように電池配置を有する組電池における電極端子間の接続構成を示す説明図である。
【図１５】第２の実施形態の角型の二次電池を用いた組電池における電極端子間の接続構成を示す説明図である。
【図１６】第１の実施形態の円筒型の二次電池を用いた組電池の電池の配置例を示す説明図である。
【図１７】図１６に示すように電池配置を有する組電池における電極端子間の接続構成を示す説明図である。
【図１８】第２の実施形態の円筒型の二次電池を用いた組電池における電極端子間の接続構成を示す説明図である。
【図１９】図１５に示す組電池において固定治具を透明化した変形例の組電池を構成を示す説明図である。
【図２０】図１８に示す組電池において固定治具を透明化した変形例の組電池を構成を示す説明図である。
【発明を実施するための形態】
【００３４】
〔第１の実施形態〕
本発明の実施の一形態について、図１〜図７を用いて説明する。図１は、本発明の実施の一形態である二次電池１の概観を示す斜視図である。一方、図２は、比較のための従来の二次電池１００の概観を示す斜視図である。
【００３５】
図１、図２に示すように、二次電池１・１００は、何れも、電池本体４が角型を成す角型電池であり、プラス電極端子２とマイナス電極端子３とは、電池本体４の同一面に並んで形成されている。電池本体４は、縦（奥行）４４×横１７０×高さ１１５（単位ミリ）の直方体であり、縦４４×横１７０の面に、電極端子２・３が形成されている。なお、サイズは、これに限られるものではない。
【００３６】
また、二次電池１・１００は何れも、リチウムイオン電池であるが、電池構成としては、ニッケル水素電池等の他の構成であってもよい。但し、熱による電池の性能低下等の影響は、内部に充填された電解液が熱せられることで副反応が起こりやすいリチウムイオン電池においてより問題であるので、電池構成としては、リチウムイオン電池との組み合わせが好ましい。
【００３７】
本実施形態の二次電池１と従来の二次電池１００との違いは、図１に示すように、二次電池１においては、電極端子２・３を除く電池本体４の外表面の全面に、加熱により不可逆的に変色する温度検知層５（図中ハッチングにて示す）が設けられている点である。
【００３８】
温度検知層５は、例えば、不可逆なサーモペイントや不可逆なサーモシール等の示温材より構成された、二次電池１の電池本体４の外表面に密着された示温層である。温度検知層５は、二次電池１の内部のトラブル、あるいは充放電回路等の二次電池１の外部のトラブルによって、電池本体４の外表面の温度が上昇して所定温度に到達すると、不可逆的に変色する。
【００３９】
不可逆なサーモペイントの具体例としては、例えば、アセイ工業株式会社が製造しているＷＡＸ示温インクシリーズを挙げることができる。該シリーズには、40℃：WL-40、45℃：WL-45、50℃：WL-50、55℃：WL-55、60℃：WL-60、65℃：WL-65、70℃：WL-70、75℃：WL-75、80℃：WL-80、85℃：WL-85、90℃：WL-90、95℃：WL-95、100℃：WL-100、105℃：WL-105、110℃：WL-110、115℃：WL-115、120℃：WL-120があり、６０℃〜１２０℃まで、５℃刻みで不可逆に変色する温度が設定されている。
【００４０】
本実施形態の二次電池１においては、示温材として、６０℃で不可逆に変色する、ＷＡＸ示温インクWL-60（アセイ工業株式会社製）が用いられている。ＷＡＸ示温インクWL-60を、電極端子２・３を除く電池本体４の外表面全面に塗布し、その後、乾燥させることで、温度検知層５を得た。
【００４１】
６０℃を異常温度とし、６０℃で変色する示温材を用いているのは、図２に示す従来の、リチウムイオン電池よりなる二次電池１００においては、電池の一部分でも６０℃以上に温度が上昇すると、電池の性能が低下してしまい、その後、電池の温度が通常に戻っても、電池の性能が回復しないことを実験的に確認しているからである。
【００４２】
なお、二次電池の電池構成や、使用される部材等によって、電池の性能が低下する温度は異なっているので、温度検知層５の不可逆に変色する温度としては、局所的な温度上昇でも、二次電池の性能を低下させる温度とし、その温度で変色する示温材を選択すればよい。
【００４３】
そして、このような温度検知層５は、図１に示すように、電極端子２・３を除く電池本体４の外表面全体に設けられていることが最も好ましい。このような構成とすることで、電池本体４の如何なる部分が異常な温度に上昇したとしても、確実にこれを検出できる。
【００４４】
但し、図１の構成は、ベストモードであり、温度検知層５としては、電極端子２・３を除く電池本体４の少なくとも１面に、面全体に亘って設けられている構成であればよい。
【００４５】
電池本体４における電池ケースは熱伝導性に優れた金属で構成されることが多く、電池外表面において熱は伝わりやすい。そのため、電池本体４の１面にのみ温度検知層５が設けられている構成であっても、面の一部ではなく、面全体に亘って設けられていることで、温度検知層５が設けられた面とは異なる面で発生した温度異常でも、部分的に近ければ、検出することができる。
【００４６】
また、電池内部、或いは電池外部において、異常な温度上昇が起こりやすい箇所がわかっている場合には、少なくともその箇所が入る面に温度検知層５を設けておくことで、全面に設けなくとも、局所的な温度上昇を検出することができる。
【００４７】
ここで、温度検知層５が面全体に亘って設けられているとは、温度検知層５が面全域を隙間なく完全に覆っている形態だけでなく、温度検知層５がストライプや、網目、ドット等のパターンにて、隙間を有しながらも面全体を覆っている形態や、温度検知層５に部分的に切り掻かれている部位はあるものの、温度検知層５が面全体を覆っている形態を含むことを意味している。
【００４８】
図３（ａ）〜図３（ｆ）に、温度検知層５のバリエーションを示す。図３（ａ）は、電極端子２・３が形成されている面を除いて温度検知層５が設けられた構成である。図３（ｂ）は、電池本体４の全面に形成されている温度検知層５の一部がリボン状に切り掻かれている（参照符号６）構成である。また、図３（ｃ）は、電池本体４の側面の全周に亘って、温度検知層５が、ストライプパターンで形成されている構成である。図３（ｄ）は、電極端子２・３が形成されている面にのみ、温度検知層５が設けられた構成である。図３（ｅ）は、電池本体４の最も広い側面にのみ、温度検知層５が、網目パターンで形成された構成である。図３（ｆ）は、電池本体４の側面の全周に亘って、温度検知層５が、ドットパターンで形成された構成である。
【００４９】
図４に、本実施形態の二次電池１が、二次電池１の内部のトラブル、あるいは二次電池１の外部のトラブルによって、電池本体４の外表面の温度が上昇し、温度検知層５が不可逆的に変色した状態を示す。参照符号７にて示す部分が、温度検知層５の変色温度である６０℃に到達した部分であり、温度検知層５における他の領域とは明らかに色が異なっている。
【００５０】
このように、本実施形態の二次電池１は、電池全体が異常な温度にまで上昇した異常だけでなく、電池の一部分のみが局所的に異常な温度にまで上昇した異常でも、検出することができる。しかも、特別な検査装置を用いたり、注意深く観察したりすることもなく、二次電池１の全体を簡単に目視するだけで検出することができる。
【００５１】
特に、電極端子２・３を除く電池本体４の外表面全体に、面全体に亘って設けられていることで、電池本体４の如何なる部分が異常な温度に上昇したとしても、確実にこれを検出できる。
【００５２】
加えて、二次電池１における温度検知層５の変色箇所より、トラブルの発生した位置を特定することができるので、トラブルの原因を解明する手助けとなる。つまり、電池内部のトラブルであれば、二次電池１内部のどの部分に異常が発生したのかを推測することができる。電池外部のトラブルであれば、二次電池１の外部にある充放電回路等のどの部分に異常が発生したのかを推測することもできる。電池外部のトラブルの発生を、現象が小さいうちに発見して対処できることで、より深刻なトラブルの発生を未然に防止することができる。
【００５３】
図５に、上記温度検知層５を円筒型電池の二次電池に適用した二次電池１０を示す。図５は、二次電池１０の概観を示す斜視図である。二次電池１０は、電池本体１１が円筒型を成す円筒型電池のリチウムイオン電池であり、これにおいて、第１の実施形態の二次電池１と同様に、電極端子２・３を除く電池本体１１の外表面全面に、温度検知層５が設けられた構成である。
【００５４】
円筒型電池の場合、温度検知層５は、少なくとも、何れかの電極端子形成面、或いは周面の一投影面において、全面に亘って設けられている。
【００５５】
ここで、二次電池１０は、１８６５０型の円筒型リチウムイオン電池サイズであるが、サイズはこれに限られるものではない。また、電池構成として、ニッケル水素電池等の他の構成であってもよいが、上述したように、リチウムイオン電池との組み合わせが効果的である。
【００５６】
図６に、本実施形態の二次電池１０が、二次電池１０の内部のトラブルあるいは二次電池１０の外部のトラブルで、電池本体１１の外表面の温度が上昇し、温度検知層５が不可逆的に変色した状態を示す。参照符号８にて示す部分が、温度検知層５の変色温度である６０℃に到達した部分である。
〔第２の実施形態〕
本発明の実施の他の形態について、図７〜１２を用いて説明する。なお、説明の便宜上、第１の実施形態で用いた部材と同じ機能を有する部材には同じ符号を付して説明を省略する。
【００５７】
金属等からなる熱伝導性に優れた電池ケースであれば、温度検知層５が設けられた面以外で発生した異常な熱を温度検知層５が設けられた面に伝達することは可能である。しかしながら、電池ケースの熱伝導率が低い場合や、金属からなる電池ケースであっても電池サイズが大型化して温度検知層５が設けられている面が温度上昇部分から遠い場合、温度検知層５にまでその熱が伝わらない場合も想定される。
【００５８】
また、二次電池１を固定するための固定治具に取り付けられた状態の二次電池１においては、固定治具にて隠れている部分に温度上昇が発生した場合、目視可能な位置に設けられた温度検知層５にこの熱が伝わることで、これを検出できる。しかしながら、この熱が伝わらなかった場合は、固定治具より二次電池１を取り外さないかぎり、この異常を検出することができない。二次電池１が組電池を構成して、隣り合う電池同士で外表面を隠し合う場合も同様である。
【００５９】
本実施形態では、温度上昇部分の熱を離れた温度検知層５へと効果的に伝えるための工夫について説明する。
【００６０】
図７（ａ）は、本実施形態の二次電池１２の概観を示す斜視図である。本実施形態の二次電池１２は、第１の実施形態の二次電池１と同様の構成を有し、これにおいてさらに、目視不可能な位置に発生した温度上昇を目視可能な位置にて検出できるようにするための導熱線１５が設けられた構成である。なお、図７（ａ）においては、温度検知層５のハッチングを省略している。
【００６１】
図７（ｂ）は、図７（ａ）における導熱線１５のみを抜き出した図である。図７（ｂ）に示すように、本実施形態の二次電池１２においては、導熱線１５は、第１〜第３の線１５ａ〜１５ｃの３本からなる。
【００６２】
第１の線１５ａは、二次電池１２の電極端子２・３間を通って電池本体４の正面を縦に２分するように、電池本体４を縦方向（正面より見て）に一周している。ここで、電池本体４の正面とは、電池本体４の最も広い面（上記サイズ例では、横１７０×高さ１１５の面）とする。
【００６３】
第２の線１５ｂは、電池本体４の正面を横方向に２分するように、電池本体４を横方向（正面より見て）に一周している。第２の線１５ｂと第１の線１５ａとは、電池本体４の正面と裏面とにおいて十字に交わっている。
【００６４】
第３の線１５ｃは、電池本体４の側面（上記サイズ例では、縦（奥行）４４×高さ１１５の面）を縦に２分するように、電池本体４を周方向（正面より見て）に、電極端子２・３が形成されている面を除いて３/４周している。第３の線１５ｃと第２の線１５ｂとは、電池本体４の両側面において十字に交わっている。
【００６５】
このような導熱線１５は、温度検知層５に接触（好ましくは密着）していれば、温度検知層５の上層、下層の何れに設けられていてもよい。
【００６６】
導熱線１５は、目視不可能な位置に発生した局所的な温度上昇部分の熱を温度上昇部分以外の他の領域へと伝えるものであり、目視不可能な位置に発生した局所的な温度上昇による異常を、目視可能な位置にて検出できるようにするものである。したがって、導熱線１５の材質としては、電池本体４の外表面を構成している材質よりも熱伝導率の高い材質である必要がある。
【００６７】
通常、二次電池における電池ケースとしては、例えばＳＵＳ３０４のような金属が用いられる。したがって、導熱線１５には、これらＳＵＳ３０４よりも熱伝導率の高い、例えば、銅、銀、金、アルミニウムなどを用いることができる。
【００６８】
本実施形態の二次電池１２においては、導熱線１５として、幅２ｍｍ、厚さ１００μｍの銅線を用い、温度検知層５の上に配置した。導熱線１５を、線幅に対して厚みが薄いリボン状とすることで、組電池を構成する場合に、電池同士が接触してあるいは近接して配されることを妨げることなく、導熱線１５からの熱による温度検知層５の変色を視認し易くできる。
【００６９】
導熱線１５の幅は、導熱線１５からの熱によって温度検知層５が変色する部分が視認できる幅であればよい。また、導熱線１５の厚さは、強度が保持される範囲であれば薄くすることが望ましい。
【００７０】
図８に、本実施形態の二次電池１２が、二次電池１２の内部のトラブルあるいは二次電池１２の外部のトラブルで、電池本体４の外表面の温度が上昇し、温度検知層５が不可逆的に変色した状態を示す。参照符号９にて示す部分が、温度検知層５の変色温度である６０℃に到達した部分である。また、参照符号１６で示すハッチング部分が、参照符号９にて示す部分の熱が導熱線１５に伝わり、その熱（６０℃以上）によって、導熱線１５に沿って変色している部分である。なお、図８においても、温度検知層５のハッチングを省略している。
【００７１】
たとえ電池本体４の外表面全面に温度検知層５が設けられていたとしても、電池ケースの熱伝導率が低い場合や、金属からなる電池ケースであっても電池サイズが大きく、固定治具３０にて隠れている部分に温度上昇が発生した場合、目視可能な位置に設けられた温度検知層５にこの熱が伝わらず、これを検出できない恐れがある。
【００７２】
しかしながら、図８に示すように、導熱線１５が設けられた本実施形態の二次電池１２では、固定治具３０等にて隠されている、参照符号９にて示す部分に温度上昇が生じたとしても、その熱が導熱線１５を伝って、参照符号１６にて示すように、目視可能な位置の温度検知層５を変色させるので、二次電池１を固定治具３０から取り外すことなく、簡単に異常を検出できる。
【００７３】
導熱線１５のレイアウトとしては、図９に示す導熱線１５-１ように、図７（ａ）のレイアウトよりも狭いピッチで、網目を描くように配置してもよい。これにより、温度上昇が発生した部分に導熱線１５が配置されておらず、隠れた部分の異常を、目視可能な位置まで引き出すことができないといった不具合を回避できる。
【００７４】
すなわち、導熱線１５における線の本数や配置位置等のレイアウトは、二次電池１２にて想定される局所的な温度上昇が生じる領域サイズ、固定治具に固定された状態で目視可能な位置等に基づいて、目視できない部分で発生した温度上昇を、目視可能な位置に導出できるように設計すればよい。
【００７５】
また、導熱線１５は、銅線等の金属線を電池本体４に巻きつけて構成しても、印刷にて形成してもよい。特に、温度検知層５がサーモシールから構成される場合、サーモシールに印刷等の方法を用いて導熱線１５を予め形成しておくことで、サーモシールを貼り付ける工程にて同時に、導熱線１５を設けることが可能となる。しかも、印刷にて形成された導熱線１５は、温度検知層５に密着されるので、導熱線１５に伝わる熱による温度検知層５の反応が鋭敏に行われる。
【００７６】
図１０（ａ）に、第１の実施形態で示した円筒型の二次電池１０に導熱線１５−２を設けた本実施形態の二次電池２１の構成を示す。なお、図１０（ａ）においては、温度検知層５のハッチングを省略している。
【００７７】
図１０（ｂ）は、図１０（ａ）における導熱線１５−２のみを抜き出した図である。図１０（ｂ）に示すように、本実施形態の二次電池２１の導熱線１５−２は、第１〜第３の線１５−２ａ〜１５−２ｃの３本からなる。
【００７８】
第１の線１５−２ａと第２の線１５−２ｂは、二次電池２１の円筒型の電池本体１１の
外表面（電極端子を除く）に、円筒の中心を挟んで対向するよう配置されている。第１の線１５−２ａおよび第２の線１５−２ｂは、プラスの電極端子２が設けられている面からマイナスの電極端子３が設けられている面へといたる、円筒型の電池本体１１が軸方向に有する長さと同等の長さを有している。
【００７９】
第３の線１５−２ｃは、円筒型の電池本体１１を軸方向と直交する方向に２分するように、電池本体１１をその周方向に一周している。第３の線１５−２ｃと、第１の線１５−２ａおよび第２の線１５−２ｂとは、電池本体１１の外周面において十字に交わっている。
【００８０】
図１１に、本実施形態の二次電池２１が、二次電池２１の内部のトラブルあるいは二次電池２１の外部のトラブルで、電池本体１１の外表面の温度が上昇し、温度検知層５が不可逆的に変色した状態を示す。参照符号１７にて示す部分が、温度検知層５の変色温度である６０℃に到達した部分である。また、参照符号１８で示すハッチング部分が、参照符号１７にて示す部分の熱が導熱線１５−２に伝わり、その熱（６０℃以上）によって、導熱線１５−２に沿って変色している部分である。なお、図１１においても、温度検知層５のハッチングを省略している。
【００８１】
このように、本実施形態の二次電池２１においても、固定治具３０等にて隠されている部分の異常が、目視可能な位置まで引き出されて温度検知層５の変色として伝えられるので、固定治具３０より二次電池２１を取り外すことなく、簡単に異常を検出できる。
【００８２】
また、円筒型電池の例である本実施形態においても、導熱線の本数や配置位置等のレイアウトは、二次電池２１にて想定される局所的な温度上昇が生じる領域サイズ、固定治具に固定された状態で目視可能な位置等に基づいて、目視できない部分で発生した温度上昇を、目視可能な位置に導出できるように設計すればよい。
【００８３】
例えば、図１２に示す、導熱線１５-３ように、図１０（ａ）よりも狭いピッチで複数、網目を描くように配置することで、温度上昇が発生した部分に導熱線１５が配置されておらず、隠れた部分の異常を、目視可能な位置まで引き出すことができないといった不具合を回避できる。
〔第３の実施形態〕
本発明の実施の他の形態について、図１３〜図２０を用いて説明する。なお、説明の便宜上、第１の、第２の実施形態で用いた部材と同じ機能を有する部材には同じ符号を付して説明を省略する。
【００８４】
本実施形態においては、第１、第２の実施形態で説明した、４種類の二次電池、つまり、二次電池（角型）１、二次電池（円筒型）１０、二次電池（角型）１２、及び二次電池（円筒型）２１それぞれの組電池について説明する。
【００８５】
図１３に、第１の実施形態の角型の二次電池１を用いた組電池２３の電池の配置例を示す。図１３の例では、５直列２並列の例を示している。上述したように、組電池は、機器に必要な電圧、パワーを取り出すために、複数個の二次電池が直列または並列に組み合わせて構成されるものであるので、組み方はこれに限定されるものではない。
【００８６】
ここで、５直列を構成する５個の二次電池１は、ＡＢＳ樹脂や、例えばポリカーボネート製の、上部固定治具３１ｂと下部固定治具３１ａとで、その上部と下部とが固定されてユニット化されて、直列ユニット２４を構成している。
【００８７】
図１４に、図１３に示すように、二次電池１が複数個配置された組電池２３における電極端子間の接続構成を示す。図中、参照符号３２にて示すものが端子接続線である。端子接続線３２にて、直列ユニット２４内の５つの二次電池１が直接接続され、かつ、２つの直列ユニット２４が並列接続される。
【００８８】
図１５に、二次電池１に変えて、導熱線１５が設けられた第２の実施形態の二次電池１２を用いた組電池２５を示す。導熱線１５が設けられた二次電池１２よりなる組電池２５では、目視できない部分で発生した温度上昇も導熱線１５に熱が伝わることで検出できるので、二次電池１２を組み付けた状態のまま、各二次電池１２の異常の有無を判別することができる。
【００８９】
また、図１６に、第１の実施形態の円筒型の二次電池１０を用いた組電池４０の電池配置例を示す。図１６の例でも、５直列２並列の例を示している。円筒型の二次電池１０の場合、直列ユニット４１内において、５個の二次電池１０は、プラスとマイナスとが交互になるように配置される。
【００９０】
ここでも、５直列を構成する５個の二次電池１０は、例えばＡＢＳ樹脂や、ポリカーボネート製の、上部固定治具３５ｂと下部固定治具３５ａとで、その上部と下部とが固定されてユニット化されて、直列ユニット４１を構成している。
【００９１】
図１７に、図１６に示すように二次電池１０が配置された組電池４０における電極端子間の接続構成を示す。図中、参照符号３６にて示すものが端子接続線である。端子接続線３６にて、直列ユニット４１内の５つの二次電池１が直接接続され、かつ、２つの直列ユニット４１が、並列接続される。
【００９２】
図１８に、二次電池１０に変えて、導熱線１５が設けられた第２の実施形態の二次電池２１を用いた組電池４２を示す。導熱線１５が設けられた二次電池２１よりなる組電池４２では、導熱線１５によって目視できない部分で発生した温度上昇も検出できるので、二次電池１２を組み付けた状態のまま、各二次電池１２の異常の有無を判別することができる。
【００９３】
また、より好ましい構成としては、直列ユニット２４、直列ユニット４１における、上部固定治具３１ｂ・下部固定治具３１ａ、上部固定治具３５ｂ・下部固定治具３５aを、図１９、図２０に示すように、透明な上部固定治具５１ｂ・下部固定治具５１a、上部固定治具５２ｂ・下部固定治具５２ａとすることである。
【００９４】
これによれば、導熱線１５が設けられていない角型の二次電池１、あるいは円筒型の二次電池１０からなる組電池２３・４０においても、固定治具にて視認できない部分を大きく減らすことができる。このような固定治具を透明な構成とすることは、温度検知層５を有する二次電池１・１０・１２・２１の組電池において効果的である。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９６】
１  二次電池
２  プラス電極端子
３  マイナス電極端子
４  電池本体
５  温度検知層
１０  二次電池
１１  電池本体
１２  二次電池
１５  導熱線
２１  二次電池
５１ａ  下部固定治具（固定治具）
５１ｂ  上部固定治具（固定治具）
５２ａ  下部固定治具（固定治具）
５２ｂ  上部固定治具（固定治具）
【図１】
0005662828.tif 000002
【図２】
0005662828.tif 000003
【図３】
0005662828.tif 000004
【図４】
0005662828.tif 000005
【図５】
0005662828.tif 000006
【図６】
0005662828.tif 000007
【図７】
0005662828.tif 000008
【図８】
0005662828.tif 000009
【図９】
0005662828.tif 000010
【図１０】
0005662828.tif 000011
【図１１】
0005662828.tif 000012
【図１２】
0005662828.tif 000013
【図１３】
0005662828.tif 000014
【図１４】
0005662828.tif 000015
【図１５】
0005662828.tif 000016
【図１６】
0005662828.tif 000017
【図１７】
0005662828.tif 000018
【図１８】
0005662828.tif 000019
【図１９】
0005662828.tif 000020
【図２０】
0005662828.tif 000021